(57)【要約】【課題】使用済み携帯端末機からの個人情報の漏えいを防止し、かつ、携帯端末機に含まれる希少金属を有効に回収して資源のリサイクルをシステム化する使用済み携帯端末機の粉砕回収機を提供する。【解決手段】使用済み携帯端末機の粉砕回収機１は、使用済み携帯端末機１０を回収する投入口１１を有する携帯端末機投入部２と、投入された携帯端末機１０を粉砕するドラムカッターが設置された携帯端末機粉砕部３と、粉砕された携帯端末機１０の粉砕チップを回収する粉砕チップ回収容器９を内蔵する粉砕チップ回収部４と、を備え、さらに携帯端末機１０に使用されたバッテリーを回収するバッテリー回収箱５及び充電器又はアダプターを回収する付属機器回収箱７が併設され、携帯端末機１０の電子材料及び磁気材料に含まれる希少金属を回収する。【選択図】図１
2014087754.tif 000002
【特許請求の範囲】
【請求項１】
使用済みの携帯端末機を回収する投入口を有する携帯端末機投入部と、
投入された携帯端末機を粉砕するドラムカッターが設置された携帯端末機粉砕部と、
粉砕された携帯端末機の粉砕チップを回収する粉砕チップ回収容器を内蔵する粉砕チップ回収部と、を備えることを特徴とする使用済み携帯端末機の粉砕回収機。
【請求項２】
請求項１に記載の使用済み携帯端末機の粉砕回収機であって、携帯端末機に使用されたバッテリーを回収するバッテリー回収箱が並設されていることを特徴とする使用済み携帯端末機の粉砕回収機。
【請求項３】
請求項１又は２に記載の使用済み携帯端末機の粉砕回収機であって、充電器又はアダプターを回収する付属機器回収箱が並設されていることを特徴とする使用済み携帯端末機の粉砕回収機。
【請求項４】
請求項１乃至３のいずれか１項に記載の使用済み携帯端末機の粉砕回収機であって、携帯端末機投入部の側面には受話器が設けられ、受話器から携帯端末機の粉砕処理の案内が流されることを特徴とする使用済み携帯端末機の粉砕回収機。
【請求項５】
請求項１乃至４のいずれか１項に記載の使用済み携帯端末機の粉砕回収機であって、携帯端末機粉砕部の正面側には、内部を透視可能であり、消音二重ガラスからなるガラス窓が設けられていることを特徴とする使用済み携帯端末機の粉砕回収機。
【請求項６】
請求項１乃至５のいずれか１項に記載の使用済み携帯端末機の粉砕回収機であって、携帯端末機粉砕部の壁面の内部側には消音材が貼り付けられていることを特徴とする使用済み携帯端末機の粉砕回収機。
【請求項７】
請求項１乃至６のいずれか１項に記載の使用済み携帯端末機の粉砕回収機であって、投入口には開閉シャッターが設けられ、粉砕時には開閉シャッターは閉じられることを特徴とする使用済み携帯端末機の粉砕回収機。
【発明の詳細な説明】
【技術分野】
【０００１】
本発明は、使用済み携帯端末機の粉砕回収機に係り、特に、使用済み携帯端末機を粉砕して粉砕チップに処理し、さらに回収する粉砕回収機に関する。
【背景技術】
【０００２】
携帯端末機とは、例えば、携帯電話機、ＰＨＳ，スマートフォン、タブレット、携帯情報端末（ＰＤＡ）などであり、通話、インターネット通信、カメラ機能、フォトアルバム、メモ帳、住所録、ＴｏＤｏなどの機能をもつ携帯用のコンピュータ端末機器をいう。これらの携帯端末機は、個人が携帯して使用することから「モバイル」とも呼ばれ、コンピュータシステムへのリモート接続を前提とする。
【０００３】
これらの携帯端末機は、その利便性から瞬く間に普及し、今や複数の機器を保有し、目的に応じて使いこなすのが珍しくなくなり、携帯端末機そのものが生活必需品となっている。また、携帯端末機は、各種の新製品が市場に投入され、その機能は日進月歩で進化しつつある。従って、毎日何千個の携帯端末機が使用済みとして廃棄され、新たな機種に買い替えられている。
【０００４】
この携帯端末機には通話、メール、フォトアルバムなどが個人情報として記録され保存されている。このため、携帯端末機を買い替える場合には、個人情報の漏えいを防止するため、古い携帯端末機を捨てずに保管するのが一般的になりつつある。古い携帯端末機は捨て場がなく、家庭内の引出しの中や棚の奥に置き忘れられているのが現状である。
【０００５】
特許文献1には、家庭用電気器具を構成部品毎に分解して分別することができる、家庭用電気器具の分解処理方法が開示されている。ここでは、複数の構成部品を接続または連結して一体に組み立てられた家庭用電気器具を、略円筒形の容器内に投入し、この容器内の底面の略中心のまわりで周方向に回転する羽根によって、容器内に投入された家庭用電気器具を容器の内壁に衝突させて、構成部品の各々を実質的に破砕しないように家庭用電気器具を構成部品毎に分解した後、構成部品毎に分別することが記載されている。
【０００６】
特許文献２には、コンピュータ、携帯電話機、電線や混合ごみ等の廃棄物を、過熱蒸気を用いて再資源化処理する再資源化方法および再資源化装置の提供が開示されている。ここでは、過熱蒸気を吹き込むことにより炉内温度を２００℃〜８００℃に維持したキルン炉内に廃棄物を供給して熱処理すると、コンピュータ、携帯電話機、電線や混合ごみ等の廃棄物は、レアメタル、鉄、銅、鉛やアルミニウム等の金属を除く炭素のみが炭化または気化される。従って、廃棄物が金属と樹脂成形品等の複合物であっても、そのままキルン炉内に供給することで、樹脂成形品等の炭素のみが炭化または気化され、金属のみまたは金属と炭化物との混合物が得られ、金属のみを容易に分別して取り出し、金属または炭化物として再資源化することが可能となることが記載されている。
【先行技術文献】
【特許文献】
【０００７】
【特許文献１】特開２００９−１９５９０１号公報
【特許文献２】特開２０１１−１７８８５０号公報
【発明の概要】
【発明が解決しようとする課題】
【０００８】
この携帯端末機には、例えば、電池などの電子材料、磁気記録素子などの磁気材料、光学ガラスなどの機能性材料に希少な金属であるレアメタルが使用されている。これらのレアメタルは、産業界における流通量や使用量は少ないものの携帯端末機の機能を発揮させるためには不可欠な金属が多い。また、レアメタルの産出国が偏在し、その価格も不安定なため、資源に乏しい我国では、レアメタルの確保は産業競争力の維持、発展に不可欠であると認識されている。このレアメタルの確保のために使用済みの携帯端末機を回収して資源のリサイクルを計ることが緊急の課題となっている。
【０００９】
しかし、携帯端末機には通話、メール、写真などが個人情報として記録され保存されるため、携帯端末機を買い替える場合には、個人情報の保護のため古い携帯端末機を捨てずに保管するのが一般的になりつつある。すなわち、貴重なレアメタルを含む携帯端末機を回収することでレアメタルの確保につながるが、個人情報の漏えいを恐れて古い携帯端末機を自宅などに保管してしまい、回収の効率が上がらないという問題がある。
【００１０】
本願の目的は、かかる課題を解決し、使用済み携帯端末機からの個人情報の漏えいを防止し、かつ、携帯端末機に含まれる希少金属を有効に回収して資源のリサイクルをシステム化する使用済み携帯端末機の粉砕回収機を提供することである。
【課題を解決するための手段】
【００１１】
上記目的を達成するため、本発明に係る使用済み携帯端末機の粉砕回収機は、使用済みの携帯端末機を回収する投入口を有する携帯端末機投入部と、投入された携帯端末機を粉砕するドラムカッターが設置された携帯端末機粉砕部と、粉砕された携帯端末機の粉砕チップを回収する粉砕チップ回収容器を内蔵する粉砕チップ回収部と、を備えることを特徴とする。
【００１２】
上記構成により、使用済み携帯端末機の粉砕回収機は、使用済み携帯端末機を携帯端末機投入部に設けられた投入口に投入するだけで携帯端末機粉砕部により粉砕させることができる。これにより、使用済み携帯端末機の保持者は、使用済み携帯端末機からの個人情報の漏えいを簡易に防止することが可能となる。また、粉砕された使用済み携帯端末機は、粉砕チップ回収部に設置された粉砕チップ回収容器により容易に回収し、携帯端末機に含まれる希少金属をシステム的にリサイクルすることができる。
【００１３】
すなわち、使用済み携帯端末機をそのまま回収するだけでは、個人情報の保護が完全に保証されない。使用者の目の前で使用済み携帯端末機が粉砕され、個人情報が記録或いは記憶された部品を破壊しなければ個人情報が消滅したことにならない。そして、使用者の目の前で使用済み携帯端末機を粉砕するのは、簡易な装置により簡単な方法により成し遂げなければならない。本発明は、使用済み携帯端末機の粉砕回収機を設置し、使用済み携帯端末機を投入口に投入するという簡単な方法によりその場で粉砕し、発生した粉砕チップを回収箱に溜め、より容易に回収する簡易な装置である。
【００１４】
また、使用済み携帯端末機の粉砕回収機は、携帯端末機に使用されたバッテリーを回収するバッテリー回収箱が並設されていることを特徴とすることが好ましい。これにより、使用済み携帯端末機の保持者は、個人情報が格納された携帯端末機と個人情報が格納されていないバッテリーとを分別処理することができ、効率的な資源のリサイクルが可能となる。
【００１５】
また、使用済み携帯端末機の粉砕回収機は、充電器又はアダプターを回収する付属機器回収箱が並設されていることが好ましい。これにより、使用済み携帯端末機の保持者は、携帯端末機とセットになっている充電器又はアダプターを携帯端末機の買い替えと共に処理することができ、効率的な資源のリサイクルが可能となることができる。
【００１６】
また、使用済み携帯端末機の粉砕回収機は、携帯端末機投入部の側面には受話器が設けられ、受話器から携帯端末機の粉砕処理の案内が流されることが好ましい。これにより、粉砕回収機の使用者は、粉砕回収機に違和感なく接することができ、また、受話器により容易に使用することができる。
【００１７】
また、使用済み携帯端末機の粉砕回収機は、携帯端末機粉砕部の正面側には、内部を透視可能であり、消音二重ガラスからなるガラス窓が設けられていることが好ましい。これにより、使用済み携帯端末機の保持者は、携帯端末機が粉砕される様子を視覚的に確認でき、個人情報が記録又は記憶された部品が破壊される場に立ち会うことができる。
【００１８】
また、使用済み携帯端末機の粉砕回収機は，携帯端末機粉砕部の壁面の内部側には消音材が貼り付けられていることが好ましい。これにより、携帯端末機が粉砕される際に発生する不快な騒音を低減させることができる。
【００１９】
さらに、使用済み携帯端末機の粉砕回収機は，投入口には開閉シャッターが設けられ、粉砕時には開閉シャッターは閉じられることが好ましい。これにより、携帯端末機が粉砕される際に発生する不快な騒音を低減させ、使用済み携帯端末機以外の物を間違って投入することを防止できる。
【発明の効果】
【００２０】
以上のように、本発明に係る使用済み携帯端末機の粉砕回収機によれば、使用済み携帯端末機からの個人情報の漏えいを防止し、かつ、携帯端末機に含まれる希少金属を有効に回収して資源のリサイクルをシステム化する使用済み携帯端末機の粉砕回収機を提供することができる。
【図面の簡単な説明】
【００２１】
【図１】本発明に係る使用済み携帯端末機の粉砕回収機の１つの実施形態の概略構成を示す斜視図である。
【図２】使用済み携帯端末機の粉砕回収機の正面図である。
【図３】使用済み携帯端末機の粉砕回収機の側面図である。
【図４】使用済み携帯端末機の粉砕回収機の平面図である。
【図５】使用済み携帯端末機の粉砕回収機の断面図である。
【図６】使用済み携帯端末機の粉砕回収機の正面から見た内部構造図である。
【図７】使用済み携帯端末機の粉砕回収機の内部構造を示す斜視図である。
【発明を実施するための形態】
【００２２】
以下に、図面を用いて本発明に係る使用済み携帯端末機の粉砕回収機の実施形態につき、詳細に説明する。
【００２３】
図１に、本発明に係る使用済み携帯端末機の粉砕回収機１の１つの実施形態の概略構成を斜視図で示す。なお、図１の粉砕回収機１は、バッテリー回収箱５及び付属機器回収箱７が並置されている。また、図２に、粉砕回収機１の正面図を示し、図３に、粉砕回収機１の側面を示し、図４に、粉砕回収機１の平面図を示し、図５に、粉砕回収機１の断面図を示す。
【００２４】
使用済み携帯端末機の粉砕回収機１は、携帯端末機投入部２、携帯端末機粉砕部３、及び粉砕チップ回収部４から構成される。携帯端末機投入部２は投入口１１を有し、使用済みの携帯端末機１０を所持する使用者は、使用済みの携帯端末機１０をこの投入口１１に投入することで使用済みの携帯端末機１０が回収される。携帯端末機粉砕部３は、投入された携帯端末機１０を設置されたドラムカッター１２（図５参照）により粉砕チップ２３に粉砕する。粉砕チップ回収部４は、粉砕チップ回収容器９を内蔵し、粉砕された携帯端末機１０の粉砕チップ２３を粉砕チップ回収容器９に溜めて回収する。
【００２５】
このように、使用済み携帯端末機の粉砕回収機１は、個人情報の漏えいを回避するために使用済みの携帯端末機を保管してしまう使用者に対して使用済み携帯端末機１０の回収手段を提供する。すなわち、粉砕回収機１に使用済み携帯端末機１０を携帯端末機投入部２に投入すると、携帯端末機粉砕部３において粉砕チップ２３に粉砕してしまう。この粉砕により個人情報の漏えいは問題なく回避できる。そして、粉砕チップ回収部４にて粉砕された携帯端末機１０の粉砕チップ２３が回収される。このようにして、携帯端末機１０に含まれる希少金属を有効に回収して資源のリサイクルをシステム化することができる。
【００２６】
ここで、「資源のリサイクルをシステム化する」ことについて説明する。使用済み携帯端末機の粉砕回収機１が、例えば、携帯電話会社のサービス機関（ショップ）などに設置され、使用済み携帯端末機の回収業者などが定期的に粉砕された粉砕チップ２３を回収する。そして、回収した粉砕チップ２３を分別する分別業者などへ持ち込む。さらに分別業者などにより分別されたレアメタルなどの希少金属が携帯端末機の製造メーカなどに収められる。この資源のサイクルが回ることにより、使用済み携帯端末機からの個人情報の漏えいが防止され、かつ、携帯端末機に含まれる希少金属が有効に回収されるという「資源のリサイクル」がシステムとして機能する。
【００２７】
図２に示すように、この使用済み携帯端末機の粉砕回収機１は、屋外に設置されている公衆電話機（ピンク電話機）に類似した意匠、或いは寸法であっても良い。これにより、粉砕回収機１の使用者は、粉砕回収機１に対して親近感を抱き、「粉砕機」という堅苦しい機器に対して違和感なく使用することができる。また、携帯端末機投入部２の側面には受話器３０が設けられても良い。そして、この受話器３０から携帯端末機１０の粉砕処理の案内が流されても良い。
【００２８】
図５に示すように、携帯端末機投入部２の投入口１１には開閉式シャッターが設けられても良い。すなわち、携帯端末機１０を携帯端末機投入部２に投入する際には開閉シャッターを図中の矢印の方向に開け、粉砕時には開閉シャッターを閉じる。これにより、携帯端末機１０が粉砕される際に発生する不快な騒音が低減される。また、使用済み携帯端末機１０以外の物を間違って携帯端末機投入部２に投入することが防止できる。
【００２９】
図５に示すように、携帯端末機粉砕部３の壁面の内部側には消音材３２が貼り付けられている。これにより、携帯端末機１が粉砕される際に発生する不快な騒音を低減させることができる。また、携帯端末機粉砕部３の正面側には、内部を透視可能であり、消音二重ガラスからなる覗き窓１９が設けられている。これにより、使用済み携帯端末機１０の保持者は、携帯端末機１０が粉砕される様子を視覚的に確認することができる。
【００３０】
図５に示すように、使用済み携帯端末機１０は、粉砕回収機１により粉砕されて粉砕チップ２３となり、ホッパー２９により集められて粉砕チップ回収容器９に溜められる。粉砕チップ回収容器９に溜められた粉砕チップ２３は、回収業者などにより定期的に回収される。
【００３１】
図６に、粉砕回収機１を正面から見た内部構造図を示す。また、図７に、粉砕回収機１の内部構造を斜視図で示す。携帯端末機投入口１１から投入された使用済み携帯端末機１０は、筒状のシュウター２２内を落下する。このシュウター２２は、例えばプラスチックなどの透明な素材が使用され、シュウター２２内を落下して粉砕される様子を覗き窓１９から視覚的に確認できるようにしても良い。このシュウター２２は、使用済み携帯端末機１０をドラムカッター１２により粉砕されるように導く。
【００３２】
ドラムカッター１２は、モーター２６により回転する回転体であり、その表面には鋭利な刃物からなる粉砕用カッター３３が取り付けられている。そして、落下してくる使用済み携帯端末機１０は、回転する粉砕用３３により粉砕される。モーター２６の回転は第１プーリー２４ａによりファンベルト２５を介して第２プーリー２４ｂに伝達される。そして第２プーリー２４ｂによりドラムカッター１２が回転する。また、モーター２６、ドラムカッター１２、プーリー２４などの機器は、防振マウント２７により振動が防止される。これにより、回転振動による騒音や振動が低減される。
【００３３】
使用済み携帯端末機の粉砕回収機１は、粉砕回収機１が単独で設置されても良いが、図１に示すように、携帯端末機１０に使用されたバッテリーを回収するバッテリー回収箱５、又は携帯端末機１０に使用された充電器又はアダプターを回収する付属機器回収箱７が並設されても良い。なお、これらの使用済み携帯端末機の粉砕回収機１、バッテリー回収箱５、及び付属機器回収箱７は、最下部にキャスター１５を備え、それぞれが移動自在であっても良い。また、粉砕回収機１、バッテリー回収箱５、及び付属機器回収箱７は、相互に連結する連結手段を有し、互いに接続されて設置されても良い。
【００３４】
バッテリー回収箱５は、携帯端末機１０に内蔵されるバッテリー又は電池３４を分別して回収する。このバッテリー回収箱５は、バッテリー投入口６及びバッテリー回収扉１７を備え、バッテリー投入口６から投入されたバッテリー又は電池３４をバッテリー回収扉１７から取出して回収する。
【００３５】
付属機器回収箱７は、例えば充電器又はアダプター３５など、携帯端末機１０に付属機器として用いられるものを分別して回収する。この付属機器回収箱７は、付属機器投入口８及び付属機器回収扉１８を備え、付属機器投入口８から投入された、例えば充電器又はアダプター３５などを付属機器回収扉１８から取出して回収する。
【００３６】
本発明では、使用済み携帯端末機の粉砕回収機１、バッテリー回収箱５、および付属機器回収箱７というように、携帯端末機１０関連の機器を３つに分別して回収する方法を提示したが、この分別は、これよりも少ない数の分類であっても、これよりも多い数の分類であっても良い。これよりも少ない数の分類の場合には、装置自体が簡素化され、設置する場合の経済性が向上する。一方、これよりも少ない数の分類の場合には、分別のきめが細かくなり、効率的な資源のリサイクルが実現する。
【００３７】
また、使用済み携帯端末機１０以外の機器、例えばバッテリー３４、充電器、アダプター３５などを粉砕の対象としても良い。その場合には、個人情報の保護という目的は無いが、希少金属を有効に回収して資源のリサイクルを計ることには寄与する場合がある。
【符号の説明】
【００３８】
１  （使用済み携帯端末機の）粉砕回収機、２  携帯端末機投入部、３  携帯端末機粉砕部、４  粉砕チップ回収部、５  バッテリー回収箱、６  バッテリー投入口、７  付属機器回収箱、８  付属機器投入口、９  粉砕チップ回収容器、１０  使用済み携帯端末機、１１  携帯端末機投入口、１２  ドラムカッター、１３  バッテリー回収箱表示盤、１４  付属機器回収箱表示盤、１５  キャスター、１６  粉砕チップ回収扉、１７  バッテリー回収扉、１８  付属機器回収扉、１９  覗き窓、２０  ＯＮ／ＯＦＦスイッチ、２１  携帯端末投入箱表示盤、２２  シュウター、２３  粉砕チップ、２４  プーリー，２４ａ  第１プーリー，２４ｂ  第２プーリー、２５  ファンベルト、２６  モーター、２７  防振マウント、２８  消音材、２９  ホッパー、３０  受話器、３２  消音材、３３  粉砕用カッター、３４  電池、３５  アダプター。
【図１】
2014087754.tif 000003
【図２】
2014087754.tif 000004
【図３】
2014087754.tif 000005
【図４】
2014087754.tif 000006
【図５】
2014087754.tif 000007
【図６】
2014087754.tif 000008
【図７】
2014087754.tif 000009